(57)【要約】      （修正有）【課題】  所定ボックス容積に対するガラス基板の収納能力の向上を図り、ガラス基板に外力が作用したり、ガラス基板搬送ボックスを横に倒した場合にもガラス基板の大きな屈曲変形を抑えることが可能なガラス基板搬送用ボックスを提供する。【解決手段】  ボックス本体２の相対する一対の内側面に貼着された側面パッド４８の、開口から底部に向けて平行な垂直に延びる一対の隣接する誘導リブ部材４６間で縦溝が形成され、ボックス本体２の開口を蓋体３で閉鎖した際誘導リブ部材の一方側の上下略中間位置に、相対する他方の誘導リブに向かって設けられた突起部Ｔにより、ボックス本体２内の複数のガラス基板Ｇに強制撓みを生じさせるように構成することで、強制撓みが生じている方向以外の撓みを抑える。【選択図】  図４
2005067622.tif 000002
【特許請求の範囲】
【請求項１】
有底のボックス本体と、該ボックス本体の開口を開閉可能な蓋体とから成るガラス基板搬送用ボックスであって、前記ボックス本体の相対する一対の内側面には、ガラス基板の側端部を支持する側面パッドが設けられ、該側面パッドは前記内側面に接合するベース部材と、前記開口から底部に向かって互いに平行な垂直に延びる前記ベース部材上に連設された複数の誘導リブ部材から成り、前記複数のガラス基板の側端部が前記一対の隣接する誘導リブ部材間にそれぞれを収納支持され、少なくとも一対の誘導リブ部材の一方側の上下略中間位置に、相対する他方の誘導リブに向かって突出する突起部が設けられ、複数のガラス基板を収納後前記ボックス本体の開口を蓋体で閉鎖した際、前記突起部によりガラス基板に強制撓みを生じさせるようにしたことを特徴とするガラス基板搬送用ボックス。
【請求項２】
前記突起部は一対の誘導リブ部材の一方側の上下略中間位置と、他方側の上下端近傍位置に設けられている請求項１に記載のガラス基板搬送用ボックス。
【請求項３】
前記突起部は上下方向において中央部が略円弧状に突出している請求項１または２に記載のガラス基板搬送用ボックス。
【請求項４】
前記ボックス本体の底面に底面パッドが設けられ、該底面パッドに前記誘導リブ部材と整合するガラス基板支持用の複数のリブが形成されている請求項１ないし３のいずれかに記載のガラス基板搬送用ボックス。
【請求項５】
前記蓋体には複数のガラス基板の上端縁を押圧保持する導電性柔軟材が設けられている請求項１ないし４のいずれかに記載のガラス基板搬送用ボックス。
【請求項６】
前記ボックス本体及び蓋体が樹脂発泡体で構成されている請求項１ないし５のいずれかに記載のガラス基板搬送用ボックス。
【請求項７】
前記ボックス本体は、アルミ等から成る枠体で枠組み補強されている請求項１ないし６のいずれかに記載のガラス基板搬送用ボックス。
【発明の詳細な説明】
【技術分野】
【０００１】
本発明は、有底のボックス本体と、該ボックス本体の開口を開閉可能な蓋体とから成るガラス基板搬送用ボックスに関する。
【背景技術】
【０００２】
従来、素板ガラス、液晶表示用ガラス基板、プラズマ表示用ガラス基板、ハイブリッドＩＣセラミックス基板、ウエハなどの各種の基板、あるいはこれら基板を用いて製造した完成パネル等（以下単に「ガラス基板」という）を例えば、ガラスメーカからデバイスメーカに移送する場合に用いられる搬送用ボックスとして、有底のボックス本体と、このボックス本体の開口を開閉可能な蓋体とから成るボックスが知られていた（特許文献１、２参照）。
【０００３】
図９（ａ）は従来知られているガラス基板搬送ボックスの外観斜視図であり、（ｂ）はガラス基板搬送ボックスを横に倒した場合のガラス基板の屈曲変形する状態を示す説明図である。ガラス基板搬送ボックス０１は、有底の本体部０２と蓋体０３で構成され、本体部０２内にはガラス基板支持用のリブ０４ａを有した内装板０４が一対挿入されている。ガラス基板０５は対抗する内装板０４の隣接リブ０４ａ間内に一枚ずつ係合支持され、上部より蓋体０３をガラス基板０５の上端縁を押さえるようにして本体部０２上にかぶせて搬送に供される。
【０００４】
【特許文献１】特開平８−３０１３５４号公報（段落００２７、第５図）
【特許文献２】特開平９−５８７７０号公報（第５，６図）
【発明の開示】
【発明が解決しようとする課題】
【０００５】
しかしながら、従来のこのようなガラス基板搬送用ボックス０１は、上部より蓋体０３をガラス基板０５の上端縁を押さえた場合に、ガラス基板０５の両側端０５ａは上方部を除いて殆どがリブ０４ａ間内にあるため、ガラス基板０５の側端部分が大きく屈曲するような撓みを与えることができなかった。そのためガラス基板搬送ボックス０１を横に倒した場合に、図９（ｂ）に示すように、自重によりガラス基板０５の中央部が大きく屈曲変形して隣接するガラス基板に当接する恐れがあり、その当接を避けるためリブ０４の形成位置間隔を大きくとる必要があった。したがって、所定ボックス容積に対するガラス基板の収納能力に限界があった。
【０００６】
本発明は、このような問題点に着目してなされたもので、所定ボックス容積に対するガラス基板の収納能力の向上を図り、ガラス基板に外力が作用したり、ガラス基板搬送ボックスを横に倒した場合にもガラス基板の大きな屈曲変形を抑えることが可能なガラス基板搬送用ボックスを提供することを目的とする。
【課題を解決するための手段】
【０００７】
上記の目的を解決するために、本発明の請求項１に記載のガラス基板搬送用ボックス  は、有底のボックス本体と、該ボックス本体の開口を開閉可能な蓋体とから成るガラス基板搬送用ボックスであって、前記ボックス本体の相対する一対の内側面には、ガラス基板の側端部を支持する側面パッドが設けられ、該側面パッドは前記内側面に接合するベース部材と、前記開口から底部に向かって互いに平行な垂直に延びる前記ベース部材上に連設された複数の誘導リブ部材から成り、前記複数のガラス基板の側端部が前記一対の隣接する誘導リブ部材間にそれぞれを収納支持され、少なくとも一対の誘導リブ部材の一方側の上下略中間位置に、相対する他方の誘導リブに向かって突出する突起部が設けられ、複数のガラス基板を収納後前記ボックス本体の開口を蓋体で閉鎖した際、前記突起部によりガラス基板に強制撓みを生じさせるようにしたことを特徴としている。
この特徴によれば、ガラス基板収納時に突起部によりガラス基板に強制撓みが生じているので、この強制撓みが生じている方向以外の撓みは生じにくく、ガラス基板の中央部が大きく屈曲変形して隣接するガラス基板に当接するようなことは起きない。
【０００８】
本発明の請求項２に記載のガラス基板搬送用ボックスは、請求項１に記載のガラス基板搬送用ボックスであって、前記突起部は一対の誘導リブ部材の一方側の上下略中間位置と、他方側の上下端近傍位置に設けられていることを特徴としている。
この特徴によれば、ガラス基板に対し、何れの方向に横倒ししてもガラス基板の中央部が大きく屈曲変形して隣接するガラス基板に当接するようなことは起きない。
【０００９】
本発明の請求項３に記載のガラス基板搬送用ボックスは、請求項１または２に記載のガラス基板搬送用ボックスであって、前記ボックス本体の底面に底面パッドが設けられ、該底面パッドに前記誘導リブ部材と整合するガラス基板支持用の複数のリブが形成されていることを特徴としている。
この特徴によれば、ガラス基板の下側縁を所定間隔をもって安定的に支持することができる。
【００１０】
本発明の請求項４に記載のガラス基板搬送用ボックスは、請求項１ないし３のいずれかに記載のガラス基板搬送用ボックスであって、前記突起部は上下方向において中央部が略円弧状に突出していることを特徴としている。
この特徴によれば、ガラス基板は突起部に対して摩擦抵抗を極力抑えて当接することができる。
【００１１】
本発明の請求項５に記載のガラス基板搬送用ボックスは、請求項１ないし４のいずれかに記載のガラス基板搬送用ボックスであって、前記蓋体には複数のガラス基板の上端縁を押圧保持する導電性柔軟材が設けられていることを特徴としている。
この特徴によれば、クッション作用する導電性柔軟材は、ガラス基板の蓋体側とボックス本体とを電気的に導通しているので、ガラス基板の破損防止と帯電防止を同時に図ることができる。
【００１２】
本発明の請求項６に記載のガラス基板搬送用ボックスは、請求項１ないし５のいずれかに記載のガラス基板搬送用ボックスであって、前記ボックス本体及び蓋体が樹脂発泡体で構成されていることを特徴としている。
この特徴によれば、搬送ボックスを軽量に構成できるとともに、外部から作用する力の衝撃を緩和できる。
【００１３】
本発明の請求項７に記載のガラス基板搬送用ボックスは、請求項１ないし６のいずれかに記載のガラス基板搬送用ボックスであって、前記ボックス本体は、アルミ等から成る枠体で枠組み補強されていることを特徴としている。
この特徴によれば、ボックスがアルミ等から成る枠体で補強されているので、堅牢なボックスが提供でき、他の物品との接触や長期保管に対してもボックスが変形してしまうようなことがない。
【発明を実施するための最良の形態】
【００１４】
本発明の実施例を以下に説明する。
【実施例１】
【００１５】
本発明の実施例を図面に基づいて説明すると、先ず図1の（ａ）は本発明の第１実施例におけるガラス基板搬送用ボックスの外観斜視図、（ｂ）は蓋体が開放された状態のガラス基板搬送用ボックスの外観斜視図、図２はガラス基板搬送用ボックスの一部内部を示す斜視図、図３は開放されたガラス基板搬送用ボックスの内部を示す斜視図、図４の（ａ）は蓋体により閉鎖されたガラス基板搬送用ボックスの片側側板及び側面パッドの縦断面図、（ｂ）は搬送ボックス側面パッドにガラス基板の端部が保持された状態を示した（ａ）のＡ−Ａ断面図である。
【００１６】
先ず図1には、本発明の実施例としてのガラス基板搬送用ボックス１が示されており、このガラス基板搬送用ボックス１は、複数のガラス基板としてのガラス基板（７３０ｍｍ×９２０ｍｍ×０．５ｍｍ）を、例えばガラスメーカからデバイスメーカに移送する場合に用いられる搬送用ボックスとして使用するものであって、横長直方体で上部が開口した有底のボックス本体２と蓋体３とから成り、ボックス本体２は、底板４（図４参照）と４枚の側板６ａ，６ｂ及び８ａ，８ｂとを組み合わせて構築されている。
【００１７】
４枚の側板６ａ，６ｂ及び８ａ，８ｂは、長寸矩形状の側板６ａ，６ｂと短寸矩形状の縦側板８ａ，８ｂとからなり、両側が発泡スチロール樹脂（例えば発泡ポリエチレン樹脂）を両側からアルミ複合板で挟んだ断面構造となっており、アルミ複合板の最外面と最内面は導電処理のためにポリエステル樹脂系の焼き付け塗料が塗布されている。
【００１８】
また、底板４も、上述した側板６ａ，６ｂ及び８ａ，８ｂと同様の構造で、アルミ複合板の最外面と最内面は導電処理のためにポリエステル樹脂系の焼き付け塗料が塗布されている。
【００１９】
更に、図４に示す底板４の４辺の外周端縁には、図１に示すように、それぞれ硬質アルミ製の底枠１０及び１２が装着されており、底枠１０及び１２が交叉する角部に方形のパッド状の補強隅板１８が取り付けられ、該補強隅板１８間には、各底枠１０及び１２の内側に隣接して図示しない帯状の補強板が取り付けられている。
【００２０】
また、底枠１０及び１２の交叉する角部は、図示しない接合角枠によって連接結合されており、これら接合角枠には４本の硬質アルミ製の枠柱２０下端が連接結合されて立設している。
【００２１】
尚、上記の底枠１０及び１２、ないし４本の枠柱２０ないし後述する上枠２２及び２４の対向面には、底板４ないし側板６ａ，６ｂ及び８ａ，８ｂの各辺が嵌合可能な嵌合凹部が形成されている。
【００２２】
立設した４本の枠柱２０の嵌合凹部には、側板６ａ，６ｂ及び８ａ，８ｂが上端から差し込まれて装着された後、側板６ａ，６ｂ及び８ａ，８ｂの上端各辺に硬質アルミ製の上枠２２及び２４が嵌合され、それらの角部は接合角枠によって４本の枠柱２０の上端と共に連接結合されて図１（ｂ）に示す有底のボックス本体２が構成される。
【００２３】
次に、有底のボックス本体２を構成する側板６ａ，６ｂ及び８ａ，８ｂによって形成される４面の側壁外周の縦方向中間部位には、上下にフランジ状のフォークガイド２６，２８が平行に取り付けられ、ボックス本体２両側板８ａ，８ｂ側の短寸のフォークガイド２６上面にはそれぞれ一対の吊り揚げ用のアイボルト３０が止着されている。
【００２４】
一方、蓋体３は、重複する説明は省略するが、ボックス本体２と同様に側板と同一構成の矩形状の天板３２と、この天板３２外周縁の４辺に装着された側枠３４ａ，３４ｂ及び３６ａ，３６ｂと、これら側枠３４ａ，３４ｂ及び３６ａ，３６ｂの交叉する角部を接合する図示しない接合角枠とから構成されている。
【００２５】
更に、蓋体３の４辺の下端には、図４（ａ）に示すように、ボックス本体２の開口端部である上枠（２２のみ図示）の上端部位が挿嵌可能な嵌合凹部３８が形成されており、この嵌合凹部３８内にはパッキン４０が内装されている。
【００２６】
そして、蓋体３の天板３２の裏面には、底面パッド４４よりは軟質の例えば導電性を有するポリエチレン系発泡体より成る所定厚みを有する直方体に形成されたガラス基板当接パッド５８が所定間隔毎（例えば３箇所）に並設して貼着されている。
【００２７】
ガラス基板当接パッド５８は、蓋体３外周の側枠３４ａ，３４ｂ及び３６ａ，３６ｂの高さより厚く形成されて、側枠３４ａ，３４ｂ及び３６ａ，３６ｂから突出した平面がボックス本体２内に収容保持されるガラス基板Ｇの上端縁を押圧する押圧面５８ａとして構成されている。
【００２８】
また、図１（ｂ）に示すように、ボックス本体２の開口端部である長寸の上枠２４側面の両側には各一対の連結具５０が取り付けられ、これら連結具５０両外側の近接位置、並びに短寸の上枠２２側面の両側には、蓋体３を開閉する際にその外周を案内するガイド部材５２が上方に突出するように取り付けられている。連結具５０は、図示しないコイルバネにより取付け面に対し付勢力が付与される状態で回動可能に枢着されている。
【００２９】
一方、蓋体３の外周には、図１（ｂ）に示すように長寸の両側枠３６ａ，３６ｂ側面の両側にボックス本体２の連結具５０に対応する位置関係で各一対の被連結具５４が取り付けられており、短寸の両側枠３４ａ，３４ｂの中央には把手５６が取り付けられている。
【００３０】
上記のように構成されたボックス本体２内の底板４上には、図３に示されているように硬質材として例えばポリプロピレン系発泡体より成る所定厚みを有する直方体のガラス基板支持用の底面パッド４４が長手方向に所定間隔毎（実施例では４箇所）に並設して貼着されている。そして、この底面パッド４４の上面には、断面山形の、例えば１４ｍｍピッチ間隔の平行溝を有するリブ４２が形成されている。
【００３１】
また、ボックス本体２の短寸側の対向する側板８ａ，８ｂの内面には、ベース部材４５の上面に断面山形の複数の誘導リブ部材４６によって例えば１４ｍｍピッチで４０個の縦溝を形成した側面パッド４８が接着剤を介して貼着されている。
【００３２】
底面パッド４４及び側面パッド４８を貼着するに際し、これらベース部材４５上の誘導リブ部材４６によって形成される縦溝ないし底面パッド４４の平行溝４２は正確に整合するように設定される。
【００３３】
そこで、図４（ａ），（ｂ）に示すように、底面パッド４４の平行溝の底には複数のガラス基板Ｇの下端が支持されるが、ガラス基板Ｇの両側端は側面パッド４８のベース部材４５に触れることなく若干の隙間Ｓが形成された状態で支持されるようになっている。
【００３４】
誘導リブ部材４６は、横断面形状が略ハの字状になるようにその頂面から溝底に向かって先細のテーパ面が形成されると共に、更にボックス本体２の開口近傍において誘導リブ部材４６側の高さが開口端に向かって漸次減少するように山形のテーパ面が形成されている。
【００３５】
更に、図４に示すようにボックス本体２の開口側から底部側に向かって垂直に延びる複数の平行な一対の誘導リブ部材４６間で構成される縦溝は、ガラス基板Ｇの挿入時においてその側端部を誘導すると共に、ガラス基板Ｇを平行に支持することができるようになっており、一対の誘導リブ部材４６の一方側の上下略中間位置には、相対する他方の誘導リブに向けて中央部が突出する略円弧状の突起部Ｔが一体的に形成されている。
【００３６】
次に、誘導リブ部材４６に形成した突起部Ｔの機能に付き図５及び図６を参照して説明する。図５の（ａ）はガラス基板の上下端部に負荷が掛けられた際中間位置に相対する他方の誘導リブに向かって突出する突起部によって強制撓みを生じさせるようにした説明図、（ｂ）は搬送用ボックス内に収容されたガラス基板の縦軸方向に負荷が作用した時の他の２軸方向の作用力との関係を示す説明図、（ｃ）は縦軸方向の負荷が解除された際にガラス基板縦軸方向の中間部が突起部に支持された状態で自重により両端が下方に変形することで横軸方向の変形が阻止される状態の説明図であり、図６の（ａ）は上部開口から搬送用ボックス内部の縦溝に支持されガラス基板の上下端部に蓋体の閉鎖により縦軸方向の負荷が作用した際、ガラス基板の中間部が突起部により一定方向に湾曲形成された状態を示す斜視図、（ｂ）は蓋体を開放した状態で搬送用ボックスを横倒しにした場合にガラス基板縦軸方向の中間部が突起部に支持された状態で自重により両端が下方に変形した状態を示す斜視図である。
【００３７】
先ず、図３に示すようにガラス基板搬送用ボックス１の蓋体３を開放した状態で、側板６ａ側から順次、図示しない特殊フォークにより垂直状態に支持させたガラス基板Ｇの両側端縁が上方から一対の誘導リブ部材４６間により形成された縦溝に差し込まれてその下端が底面パッド４４の対応する平行溝の溝底に支持されるが、この状態では図４の（ａ）に示すようにガラス基板Ｇの両側端縁は、ベース部材４５に対し若干の隙間Ｓが形成した状態で保持されるようになっている。
【００３８】
ガラス基板Ｇの挿入に際し、略ハの字状の横断面形状を有する誘導リブ部材４６の頂面から溝底に向かうテーパ面及び山形形状の開口端部によりガラス基板Ｇの両端が案内されるので、挿入時におけるガラス基板Ｇの正確な位置決めに余裕がある。また、ベース部材４５は開口端に向けてその厚さが漸次減少しているので、開口端近傍の挿入に際して、ガラス基板Ｇの幅方向のズレに対してセンタリングされる。
【００３９】
このようにして、ガラス基板Ｇの両側端縁が誘導リブ部材４６間により形成された縦溝に差し込まれ、てそれらの下端が底面パッド４４の対応する平行溝の溝底に支持された状態で、ボックス本体２の開口が蓋体３によって閉鎖されると図４（ｂ）及び図５（ａ）に示されるように、搬送用ボックス１内に収容された複数のガラス基板Ｇの上下端部が蓋体３裏面のガラス基板当接パッド５８の押圧面５８ａと底面パッド４４との間でＸ方向より同時に押圧される。
【００４０】
ガラス基板Ｇの上下端部に対し蓋体３によりＸ方向の負荷が作用すると、図５（ａ）及び図６（ａ）に示すように一方側の誘導リブ部材の上下略中間位置に突出形成された略円弧状の突起部Ｔによって、ガラス基板Ｇの中間部がＸ方向と直交する一定方向（＋Ｚ軸方向）に強制的に屈曲変形される。
【００４１】
すなわち、蓋体３の閉鎖によって、図５（ｂ），（ｃ）に示すようにガラス基板Ｇの上端に作用する縦軸方向の負荷Ｘ１，Ｘ２とガラス基板Ｇ左右の下端を支持する反力Ｘ’１，Ｘ’２とにより、ガラス基板Ｇの縦方向中間部において＋Ｚ軸方向に最大撓み量Ｚ１が形成される。
【００４２】
次に、ボックス本体２内のガラス基板Ｇを取り出すために蓋体３が開放されると、ガラス基板Ｇの上下端部に作用する縦方向の負荷が解除された状態となり、図５（ｃ）及び図６（ｂ）に示すようにボックス本体２を９０度横倒し状態にすると、突起部Ｔで支持されているガラス基板Ｇの左右端部が自重により下方に変形して、ガラス基板Ｇの中間部が上方（＋Ｚ軸方向）に向けて湾曲形成されて撓みが維持される。
【００４３】
従って、ガラス基板Ｇ左右端部の中間部における縦方向（Ｘ軸方向）には＋Ｚ軸方向に向く撓みが形成されているので、ガラス基板ＧにＹ方向からの負荷が作用しても中間部には図５（ｃ）に示す−Ｚ軸方向を向く撓み変形が規制され、仮想線で示したＺ２の如き下方への変形を阻止することができる。
【００４４】
また、ガラス基板Ｇは、その収納後にボックス本体２の開口が蓋体３によって閉鎖された際、ガラス基板Ｇの縦方向中間部が突起部Ｔによって強制撓みを生じさせることで、Ｘ方向以外の負荷に対して撓み変形を抑えることができる。
【００４５】
更に、ボックス本体２の底面に設けられる底面パッド４４には、誘導リブ部材４６間により形成された縦溝と整合するガラス基板支持用の複数の平行溝が形成されているので、ガラス基板Ｇの下側縁を所定間隔をもって安定的に支持することができる。
【００４６】
また、前記突起部Ｔは、誘導リブ部材の上下方向において中央部が略円弧状に突出した構成となっているので、ガラス基板Ｇは突起部Ｔに対して摩擦抵抗を極力抑えて当接することができる。
【００４７】
そして、ガラス基板搬送用ボックス１の蓋体３には、複数のガラス基板Ｇの上端縁を押圧保持する軟質の例えば導電性を有するポリエチレン系発泡体より成るガラス基板当接パッド５８が設けられ、ガラス基板Ｇの蓋体３側とボックス本体２とを電気的に導通しているので、ガラス基板Ｇの破損防止と帯電防止を同時に図ることができる。
【００４８】
そしてまた、ボックス本体２、蓋体３が発泡スチロール樹脂（例えば発泡ポリエチレン樹脂）を両側からアルミ複合板で挟んだ構造となっているので、搬送用ボックス１を軽量に構成できるとともに、外部から作用する力の衝撃を緩和できる。
【００４９】
更に、ボックス本体２が、アルミ等から成る底枠１０及び１２、枠柱２０ないし上枠２２及び２４で枠組み補強されているので、堅牢なボックスが提供でき、他の物品との接触や長期保管に対してもボックスが変形してしまうようなことがない。
【実施例２】
【００５０】
次に、第２実施例に係るガラス基板搬送用ボックスの縦溝につき図７および図８を参照して説明する。図７は、第２実施例に係る誘導リブ部材の詳細図であって、ガラス基板の上下端部に負荷が掛けられた際、一対の誘導リブ部材の一方側の上下略中間位置と、他方側の上下端近傍位置に設けられた突起部によって一定方向に強制撓みを生じさせるようにした説明図、図８は第２実施例に係り、（ａ）は上部開口から搬送用ボックス内部の縦溝に支持されガラス基板の上下端部に蓋体の閉鎖により縦軸方向の負荷が作用した際、ガラス基板の中間部が一対の誘導リブ部材の一方側の上下略中間位置と、他方側の上下端近傍位置に設けられた突起部により一定方向に湾曲形成された状態を示す斜視図、（ｂ）は蓋体を開放した状態で搬送用ボックスを横倒しにした場合にガラス基板縦軸方向の中間部が相対する突起部に支持された状態で一定方向に湾曲変形した状態を示す斜視図である。
【００５１】
図７には第２実施例におけるガラス基板搬送用ボックスの誘導リブ部材４６が示されており、一対の誘導リブ部材の一方側４６ａには、この誘導リブ部材の上下略中間位置に単一の突起部Ｔ１が設けられると共に、相対する他方側誘導リブ部材４６ｂの上下端近傍位置には一対の突起部Ｔ２，Ｔ３が誘導リブ部材と同じ材質により一体成形されている。
【００５２】
このように構成された複数の誘導リブ部材４６で構成された全縦溝にガラス基板Ｇの両側端縁が差し込まれ、それらの下端が底面パッド４４の対応する平行溝の溝底に支持された状態でボックス本体２の開口が蓋体３によって閉鎖されると、上記実施例１と同様に、搬送用ボックス１内に収容された複数のガラス基板Ｇの上下端部が蓋体３裏面のガラス基板当接パッド５８の押圧面５８ａと底面パッド４４との間で同時に押圧される。
【００５３】
蓋体３の閉鎖によって、ガラス基板Ｇの上端に作用する縦軸方向の負荷とガラス基板Ｇの下端を支持する反力とによりガラス基板Ｇの縦方向中間部に湾曲する撓みが生ずるが、この撓み方向は、誘導リブ部材の上下略中間位置に形成された単一の突起部Ｔ１と相対する他方側誘導リブ部材の上下端近傍位置に形成された一対の突起部Ｔ２，Ｔ３により、湾曲する撓みが一定方向（＋Ｚ）に形成される。
【００５４】
すなわち、図８（ａ）に示される状態のガラス基板Ｇの縦方向中間部には＋Ｚ軸方向に湾曲する撓みが生じており、蓋体３により閉鎖された搬送用ボックス１を図８（ｂ）に示すように一方側に横倒しにした場合に、ガラス基板Ｇの中間部が上方（＋Ｚ方向）に向けて湾曲形成された状態が維持されることで、第１実施例と同様に蓋体３が開放された状態でもガラス基板Ｇの−Ｚ方向の変形を拘束することができる。
【００５５】
また、搬送用ボックス１を他方側に横倒しにした場合は、単一の突起部Ｔ１と相対する他方側誘導リブ部材の上下端近傍位置に形成された一対の突起部Ｔ２，Ｔ３の関係が反転してガラス基板ＧのＸ軸方向の中間部に下向き（−Ｚ方向）の撓みが形成されているため、ガラス基板Ｇの＋Ｚ方向の変形を拘束することができる。
【００５６】
以上、本発明の実施例を図面により説明してきたが、具体的な構成はこれら実施例に限られるものではなく、枠体を構成する上下枠体、枠柱はアルミ製に限ることなく、例えば、ステンレス等の軽量で硬質な素材であればよい。
【図面の簡単な説明】
【００５７】
【図１】（ａ）は本発明の第１実施例におけるガラス基板搬送用ボックスの外観斜視図、（ｂ）は蓋体が開放された状態のガラス基板搬送用ボックスの外観斜視図である。
【図２】ガラス基板搬送用ボックスの一部内部を示す斜視図である。
【図３】開放されたガラス基板搬送用ボックスの内部を示す斜視図である。
【図４】（ａ）は蓋体により閉鎖されたガラス基板搬送用ボックスの片側側板及び側面パッドの縦断面図、（ｂ）は搬送ボックス側面パッドにガラス基板の端部が保持された状態を示した（ａ）のＡ−Ａ断面図である。
【図５】（ａ）はガラス基板の上下端部に負荷が掛けられた際中間位置に相対する他方の誘導リブに向かって突出する突起部によって強制撓みを生じさせるようにした説明図、（ｂ）は搬送用ボックス内に収容されたガラス基板の縦軸方向に負荷が作用した時の他の２軸方向の作用力との関係を示す説明図、（ｃ）は縦軸方向の負荷が解除された際にガラス基板縦軸方向の中間部が突起部に支持された状態で自重により両端が下方に変形することで横軸方向の変形が阻止される状態の説明図である。
【図６】（ａ）は上部開口から搬送用ボックス内部の縦溝に支持されガラス基板の上下端部に蓋体の閉鎖により縦軸方向の負荷が作用した際、ガラス基板の中間部が突起部により一定方向に湾曲形成された状態を示す斜視図、（ｂ）は蓋体を開放した状態で搬送用ボックスを横倒しにした場合にガラス基板縦軸方向の中間部が突起部に支持された状態で自重により両端が下方に変形した状態を示す斜視図である。
【図７】第２実施例に係る誘導リブ部材の詳細図であって、ガラス基板の上下端部に負荷が掛けられた際、一対の誘導リブ部材の一方側の上下略中間位置と、他方側の上下端近傍位置に設けられた突起部によって一定方向に強制撓みを生じさせるようにした説明図である。
【図８】第２実施例に係り、（ａ）は上部開口から搬送用ボックス内部の縦溝に支持されガラス基板の上下端部に蓋体の閉鎖により縦軸方向の負荷が作用した際、ガラス基板の中間部が一対の誘導リブ部材の一方側の上下略中間位置と、他方側の上下端近傍位置に設けられた突起部により一定方向に湾曲形成された状態を示す斜視図、（ｂ）は蓋体を開放した状態で搬送用ボックスを横倒しにした場合にガラス基板縦軸方向の中間部が相対する突起部に支持された状態で一定方向に湾曲変形した状態を示す斜視図である。
【図９】（ａ）は蓋体が開放された状態における従来のガラス基板搬送ボックスの外観斜視図、（ｂ）は従来のガラス基板搬送ボックスを横倒しにした際、ガラス基板の中央部が自重により屈曲変形した状態を示す説明図である。
【符号の説明】
【００５８】
１                搬送用ボックス（ガラス基板搬送用ボックス）
２                ボックス本体
３                蓋体
４                底板
６ａ，６ｂ        側板
８ａ，８ｂ        側板
１０，１２        底枠
１８              補強隅板
２０              枠柱
２２，２４        上枠
２６，２８        フォークガイド
３０              アイボルト
３２              天板
３４ａ，３４ｂ    側枠
３６ａ，３６ｂ    側枠
３８              嵌合凹部
４０              パッキン
４２              リブ
４４              底面パッド
４５              ベース部材
４６              誘導リブ部材
４６ａ            一方側誘導リブ部材
４６ｂ            他方側誘導リブ部材
４８              側面パッド
５０              連結具
５２              ガイド部材
５４              被連結具
５６              把手
５８              ガラス基板当接パッド
５８ａ            押圧面
Ｇ                ガラス基板
Ｓ                隙間
Ｔ                突起部
Ｔ１，Ｔ２，Ｔ３  突起部
Ｘ１，Ｘ２        負荷
Ｘ’１，Ｘ’２    反力
Ｚ１，Ｚ２        撓み量
【図１】
2005067622.tif 000003
【図２】
2005067622.tif 000004
【図３】
2005067622.tif 000005
【図４】
2005067622.tif 000006
【図５】
2005067622.tif 000007
【図６】
2005067622.tif 000008
【図７】
2005067622.tif 000009
【図８】
2005067622.tif 000010
【図９】
2005067622.tif 000011